(57)【要約】      （修正有）【課題】足の裏を痛めることなくマッサージして、足の裏の血行の促進を促し、健康を増進する足裏指圧具を提供する。【解決手段】外周面が土踏まずの幅方向のアーチ形状に当接する形状の回転体から成る軸部１と、該軸部１の両端に円盤状の回転体から成る転動部２ａ、２ｂを有する足裏指圧具であって、該軸部１の外周面に溝３を掘削し、又は／及び該軸部の外周面から該軸部１の回転中心に直交する方向に孔穴４を穿孔した。【選択図】図１
0003183944.tif 000002
【実用新案登録請求の範囲】
【請求項１】
外周面が土踏まずの幅方向のアーチ形状に当接する形状の回転体から成る軸部と、該軸部の両端に円盤状の回転体から成る転動部とを有する足裏指圧具であって、該軸部の外周面に溝が掘削され又は／及び該軸部の外周面から該軸部の回転中心に直交する方向に孔穴が穿孔されていること、を特徴とする足裏指圧具。
【請求項２】
前記転動部及び前記軸部の回転中心に貫通孔が設けられていることを特徴とする請求項１記載の足裏指圧具。
【考案の詳細な説明】
【技術分野】
【０００１】
本考案は、上に足を載せ、体重をかけることで足の裏を指圧する足裏指圧具に関する。
【背景技術】
【０００２】
足裏指圧具の従来技術には、例えば、次の特許文献１、２がある。
【０００３】
特許文献１に記載の足裏指圧具は、中央部から両端部にかけて適宜小径となるテーパー状や紡錘形状等の左右の足の土踏まずの指圧にも対応できる形状の軸部の両端部に拡径円柱よりなる転動部が形成され、かつ、軸部の表面に多数の凸部を形成して構成されている。
【０００４】
特許文献２に記載の足裏指圧具は、基板の両端部に軸受板を対向して設け、この軸受板の間に第２軸受板と中間軸受板を設け、上記各軸受間に円筒に突起をつけた水平マッサージローラを両端部に夫々設け、中央部には、傾斜してなる円筒に突起をつけた中間ローラを略八の字形に配置し、各ローラの両端部を軸受部材により回動自在に支持して構成されている。
【先行技術文献】
【特許文献】
【０００５】
【特許文献１】実用新案登録第３０６３４１３号公報
【特許文献２】実用新案登録第３０５５８２０号公報
【考案の概要】
【考案が解決しようとする課題】
【０００６】
特許文献１に記載の従来技術によると、軸部の中央部から両端部にかけて左右の足の土踏まずに対応できる形状に形成してあるので、軸部に形成された凸部で土踏まずを圧迫することができ、指圧しにくい土踏まずの指圧を行うことができる。
【０００７】
また、特許文献２に記載の従来技術によると、中央部に中間ローラを略八の字形に配置しているので、ローラに付けられた突起部で、土踏まず部分に近接する足の側部の重要ツボ背椎反射部Ａを指圧することができる。
【０００８】
しかしながら、特許文献１、２に記載の従来技術では、軸部若しくは筒体の外周面に配列された複数の凸部若しくは突起部が足の裏の経穴を局所的に指圧するため、足の裏に必要以上の痛みが生じたり、足の裏を痛める危険性がある、という問題があった。
【０００９】
また、凸部若しくは突起部で経穴を局所的に指圧するものであるため、足の裏と、足裏指圧具との接地面積が小さく、足の裏の筋肉や筋を揉み解したり、延ばす等のマッサージやストレッチをすることができない。
【００１０】
また、左右の足を載せて使用するものであるため、バランスを崩しやすく、転倒を招き易い、という問題があった。
【００１１】
本考案は、このような問題に対処することを課題とするものである。すなわち、足の裏を痛めることなくマッサージして、足の裏の血行の促進を促し、健康を増進すること、が本考案の目的である。
【課題を解決するための手段】
【００１２】
前記目的を達成するため、本考案に係る足裏指圧具は、少なくとも次の構成を具備する。
【００１３】
外周面が土踏まずの幅方向のアーチ形状に当接する形状の回転体から成る軸部と、該軸部の両端に円盤状の回転体から成る転動部とを有する足裏指圧具であって、該軸部の外周面に溝が掘削され又は／及び該軸部の外周面から該軸部の回転中心に直交する方向に孔穴が穿孔されていること、を特徴とする足裏指圧具である。
【００１４】
前記転動部及び前記軸部の回転中心に貫通孔が設けられていることを特徴とする請求項１記載の足裏指圧具である。
【考案の効果】
【００１５】
このような特徴を有することで本考案は、以下の効果を奏する。すなわち、軸部が足の裏の土踏まずの幅方向のアーチ形状に当接する形状の回転体から成ることで、土踏まずを適切にマッサージすることができ、且つ、軸部に溝が掘削され又は／及び軸部の外周面から軸部の回転中心に直交する方向に穿孔された孔穴を有することで、足を載せて押圧した際に足の裏の表面に適度な段差を生じさせ、経穴を刺激するとともに、自然且つ緩やかな血流の移動を促して健康を増進させる。
【図面の簡単な説明】
【００１６】
【図１】本考案に係る実施形態の足裏指圧具の一例を示す斜視図である。
【図２】（ａ）は、図１の（Ａ）−（Ａ’）線断面図である。（ｂ）は、図１の（Ｂ）−（Ｂ’）線断面図である。（ｃ）は、図１の（Ｃ）−（Ｃ’）線断面図である。（ｄ）は、図１の足裏指圧具の左側面図である。（ｅ）は、図１の足裏指圧具の右側面図である。（ｆ）は、図１の（Ｄ）−（Ｄ’）線断面図である。
【図３】（ａ）〜（ｃ）は、図１の足裏指圧具の使用方法を示す参考図である。
【考案を実施するための形態】
【００１７】
以下、本考案に係る実施形態の足裏指圧具を図１〜図３に基づいて説明する。尚、以下で説明する実施形態は、本考案を限定するものではない。
【００１８】
図１の足裏指圧具は、主にマット若しくは床等の平坦かつ、一定の硬度を有する場所に設置して使用するものであって（図３（ａ）参照）、足裏指圧具の上に片足を載せ（図３（ａ）、（ｂ）参照）、マット若しくは床等と、足の裏とで体重を掛けて足裏指圧具を挟み込みながら、マット若しくは床等と平行の方向に力をかけて該足裏指圧具を回転させて前後に動かすことで、足の裏を指圧・マッサージするものである（図３（ｂ）、（ｃ）参照）。
【００１９】
図１の足裏指圧具は、転動部２ａと、軸部１と、転動部２ｂとから構成されている。
【００２０】
軸部１の右端部は、転動部２ｂの左端部と一体的に形成され、軸部１の左端部は、転動部２ａの右端部と一体的に形成されている（図２（ｆ）参照）。
転動部２ａと転動部２ｂ及び軸部１の回転中心に貫通孔５が設けられている（図２（ａ）〜（ｆ）参照）。
【００２１】
軸部１の外径は、左端部から右端部に行くに従い、徐々に拡大し、足の裏の土踏まずのアーチ状の形状に当接する形状となっており、軸部１の右端部の外径は、転動部２ｂの外径と同一となっている（図２（ｆ）参照）。
足の裏の土踏まずのアーチ状の形状に当接する形状とすることで、足の裏を幅方向に亘って網羅的にマッサージすることができる。
【００２２】
軸部１の外周面には、軸部１の回転中心を貫通する貫通孔５に直交する孔穴４が九つ形成されると共に（図２（ａ）〜（ｃ）、（ｆ）参照）、孔穴４の各孔の開口部を蛇行して通る溝３が形成されている（図１参照）。
溝３及び孔穴４によって、足の裏に適度の刺激を与え、足の裏をマッサージするとともに、足の裏の血流の移動を促すことができる。
【００２３】
軸部１の両端部に形成された転動部２ａと、転動部２ｂの外径とを同径とすることで、足裏指圧具の上に足を載せて、体重を掛けながら足裏指圧具を回転させた際に、左右方向のバランスがとり易く、前後方向に真っ直ぐ移動・往復させることが可能なため、力が分散せずに適切に足の裏をマッサージすることができる。
【００２４】
軸部１の左端部の外径は、２５ｍｍ〜３５ｍｍ程度が好ましく、軸部１の右端部及び転動部２ａ、２ｂの外径は、３５ｍｍ〜４５ｍｍ程度が好ましく、軸部１の長さは、足の幅以上であることが好ましく、１０５ｍｍ〜１１５ｍｍ程度が好ましいが、これに限定されるものではない。
【００２５】
足裏指圧具の材料としてはヒノキ等の木製素材であることが好ましいが、これに限定されるものではない。
木製素材である場合には、継続して使用することによって、軸部１の外周の形状が使用者の足の裏の形状に則した形状に変化するため、よりマッサージ効果を得ることができる。
【符号の説明】
【００２６】
１：軸部
２ａ、２ｂ：転動部
３：溝
４：孔穴
５：貫通孔
６：マット
【図１】
0003183944.tif 000003
【図２】
0003183944.tif 000004
【図３】
0003183944.tif 000005